(57)【要約】【課題】本発明は、ＥＬ発光シートを用いＥＬ広告媒体を形成し、通電両面発光と着脱可能なＥＬシートの両面発光ポップ広告を提供する。【解決手段】ＥＬ発光シートの上に、広告の文字や数字、絵、記号などの形状を連鎖状にカッテングした広告部を設け、かつその表面を透明フイルムでラミネートパッケージして打抜型の薄い通電両面発光するＥＬ広告媒体を形成し、前記ＥＬ発光シートから接続された小銅板に電極部を設け、前記ＥＬ発光シートに外設交差する前記小銅板と前記小銅板をそれぞれ絶縁する絶縁部を設け、折り曲げ部とコンセント挿通部を設けたことを特徴とする。【選択図】  図１
2005107461.tif 000002
【特許請求の範囲】
【請求項１】
ＥＬ発光シート（１Ａ）（１Ｂ）の上に、広告の文字や数字、絵、記号などの形状を連鎖状にカッテングした広告部（２）を設け、かつその表面を透明フイルム（３）でラミネートパッケージして打抜型の通電発光するＥＬ広告媒体を形成し、前記ＥＬ発光シート（１Ａ）（１Ｂ）から接続された小銅板（７Ａ）（７Ｂ）に電極部（４Ａ）（４Ｂ）を設け、前記ＥＬ発光シート（１Ａ）（１Ｂ）に外設交差する前記小銅板（７Ａ）と前記小銅板（７Ｂ）を絶縁する絶縁部（５）を設けたＥＬシートの両面発光ポップ広告。
【請求項２】
通電発光のＥＬ広告媒体を形成するＥＬ発光シート（１Ａ）（１Ｂ）から接続された小銅板（７Ａ）と小銅板（７Ｂ）を絶縁する絶縁部（５）を設け、前記ＥＬ発光シート（１Ａ）（１Ｂ）に外設交差する前記小銅板（７Ａ）（７Ｂ）に電極部（４Ａ）（４Ｂ）を設け、折り曲げ部（８）を設けた請求項１記載のＥＬシートの両面発光ポップ広告。
【請求項３】
通電発光のＥＬ広告媒体を形成するＥＬ発光シート（１Ａ）（１Ｂ）から接続された小銅板（７Ａ）（７Ｂ）に電極部（４Ａ）（４Ｂ）を設け、前記ＥＬ発光シート（１Ａ）（１Ｂ）に外設交差する前記小銅板（７Ａ）と前記小銅板（７Ｂ）を絶縁する絶縁部（５）を設け、前記電極部（４Ａ）（４Ｂ）にコンセント挿通部（６）を設けた請求項１、請求項２記載のＥＬシートの両面発光ポップ広告。
【発明の詳細な説明】
【技術分野】
【０００１】  本発明は、ＥＬ（エレクトロルミネセンスともいう）発光シートを用いＥＬ広告媒体を形成し、通電発光と着脱可能なＥＬシートの両面発光ポップ広告に関するものである。
【背景技術】
【０００２】広告媒体の役割を果たす看板やポスターなど従来から各種のものがある。又、動的意匠の施されたポップ広告においても、長年使用されているため新鮮味がなく、人々が興味をもってこの広告媒体を注視しないのが現状である。人々の注目を引き付けるために、電飾などで目立つものにすることも可能であるが、製作費用が高価な場合や、ランニングコストが高額なものは従来からあった。【０００３】しかし、ＥＬシートの普及で、製作費用の低減やランニングコストを抑えることが可能になり、ポップ広告に用いられてきている。これらは、コンセントとインバータからなるＡＣ電源や乾電池により、電源を接続した状態で使用している。一般にＥＬシートを用いたポップ広告の使用形態においても、片面のみの発光を特徴とするため壁面等を利用し設置している。一度設置した場合でも、ライフサイクルの短い商品や季節日時によってポップ広告の変更や増減が必要な場合がある。
【特許文献１】  特開２００２−２９４７１
【特許文献２】  特開２００２−２０３６７３
【特許文献３】  特開２００２−３１１８６５
【特許文献４】  特公平７−１１９４０６
【発明の開示】
【発明が解決しようとする課題】
【０００４】背景技術で述べたように、ポップ広告は、ライフサイクルの短い商品や季節日時によって、ポップ広告の変更や増減等、販売店等の実施者にとっては、欠くことのできない対応として必要とされている。又、ポップ広告の変更や増減が簡便に行えない場合、本来の目的である広告機能の効果を十分に発揮できないことにもなる。広告媒体である看板やポスターや広告ステッカーなどの広告物は、旧来の伝統的なものが大半であり、ＥＬシートを用いたポップ広告でも、壁面等の平面的な使用が主であった。そこで本発明はかかる従来の課題の解消を図るために開発したものであり、ＥＬ発光シートを用いＥＬ広告媒体を形成し、絶縁部と折り曲げ部を設けたことにより両方向から視認可能で、コンセント挿通部により、誰もが簡便に着脱可能なＥＬシートの両面発光ポップ広告を発明したものである。
【課題を解決するための手段】
【０００５】上記目的を達成するために、本発明における発光シートを用いＥＬ広告媒体を形成し、絶縁部と折り曲げ部を設けたことにより両方向から視認可能で、コンセント挿通部を設けたことにより着脱可能な、通電発光するＥＬシートの両面発光ポップ広告は、次のような構成をしている。
【請求項１】
【０００６】ＥＬ発光シート１Ａ１Ｂの上に、広告の文字や数字、絵、記号などの形状を連鎖状にカッテングした広告部２を設け、かつその表面を透明フイルム３でラミネートパッケージして打抜型の通電発光するＥＬ広告媒体を形成し、前記ＥＬ発光シート１Ａ１Ｂから接続された小銅板７Ａ７Ｂに電極部４Ａ４Ｂを設け、前記ＥＬ発光シート１Ａ１Ｂに外設交差する前記小銅板７Ａと前記小銅板７Ｂを絶縁する絶縁部５を設けたＥＬシートの両面発光ポップ広告とする。
【請求項２】
【０００７】通電発光のＥＬ広告媒体を形成するＥＬ発光シート１Ａ１Ｂから接続された小銅板７Ａと小銅板７Ｂを絶縁する絶縁部５を設け、前記ＥＬ発光シート１Ａ１Ｂに外設交差する前記小銅板７Ａ７Ｂに電極部４Ａ４Ｂを設け、折り曲げ部８を設けた請求項１記載のＥＬシートの両面発光ポップ広告。
【請求項３】
【０００８】通電発光のＥＬ広告媒体を形成するＥＬ発光シート１Ａ１Ｂから接続された小銅板７Ａ７Ｂに電極部４Ａ４Ｂを設け、前記ＥＬ発光シート１Ａ１Ｂに外設する前記小銅板７Ａと前記小銅板７Ｂを絶縁する絶縁部５を設け、前記電極部４Ａ４Ｂにコンセント挿通部６を設けた請求項１、請求項２記載のＥＬシートの両面発光ポップ広告。
【発明の効果】
【０００９】本発明のＥＬシートの両面発光ポップ広告は、上記のとおり構成されているので、次に記載する効果を奏する。
１．本発明は、絶縁部と折り曲げ部を設けたことにより両方向からの視認が可能となり、人々に注目を与え、店舗の雰囲気も明るく、販売促進につながる。
２．本発明は、折り曲げ部を設けたことにより製作工程において、同一面で製作が可能であり、製作コストが軽減できる。
３．本発明は、コンセント挿通部を設けたため、任意のコンセントを製作することにより、本発明のＥＬシートの両面発光ポップ広告を差し込むだけで実施可能となり、交換も任意のコンセントから引き抜くだけで極めて簡単にできる。
４．本発明は、コンセント挿通部を設けたため、スイッチの効果があり、改めてスイッチを設ける必要がない。
【発明を実施するための最良の形態】
【００１０】以下本発明の実施するための最良の形態について説明する。
（イ）本発明はＥＬ発光シート１Ａ１Ｂの上に、広告の文字や数字、絵、記号などの形状を連鎖状にカッテングした広告部２を設け、かつその表面を透明フイルム３でラミネートパッケージして打抜型の薄い通電両面発光するＥＬ広告媒体を形成し、前記ＥＬ発光シート１Ａ１Ｂから接続された小銅板７Ａ７Ｂに電極部４Ａ４Ｂを設け、前記ＥＬ発光シート１Ａ１Ｂに外設交差する前記小銅板７Ａと前記小銅板７Ｂをそれぞれ絶縁する絶縁部５を設けたものである。【００１１】（ロ）通電両面発光のＥＬ広告媒体を形成するＥＬ発光シート１Ａ１Ｂから接続された小銅板７Ａと小銅板７Ｂをそれぞれ絶縁する絶縁部５を設け、前記ＥＬ発光シート１Ａ１Ｂに外設交差する前記小銅板７Ａ７Ｂに電極部４Ａ４Ｂを設け、折り曲げ部８を設けたものである。【００１２】（ハ）通電両面発光のＥＬ広告媒体を形成するＥＬ発光シート１Ａ１Ｂから接続された小銅板７Ａ７Ｂに電極部４Ａ４Ｂを設け、前記ＥＬ発光シート１Ａ１Ｂに外設交差する前記小銅板７Ａと前記小銅板７Ｂをそれぞれ絶縁する絶縁部５を設け、前記電極部４Ａ４Ｂにコンセント挿通部６を設けたものである。
【実施例】
【００１３】以下本発明の実施例について図面を参照に説明する。本発明の図１は、請求項１に関するものである。図１に示すように、ＥＬ発光シートの上に、広告の文字や数字、絵、記号などの形状を連鎖状、又はステンシル状にカッテングした広告部を設け、かつその表面を透明フイルムでラミネートパッケージして打抜型の薄い通電両面発光するＥＬ広告媒体を形成し、前記ＥＬ発光シートから接続された小銅板に電極部を設け、前記ＥＬ発光シートに外設交差する前記小銅板と前記小銅板をそれぞれ絶縁する絶縁部を設けた状態の、ＥＬシートの両面発光ポップ広告の内部を示す正面図であり、図２は、本発明の内部を示す拡大部分斜視図である。前記ＥＬ発光シートの各面から接続された前記小銅板と前記小銅板をそれぞれ絶縁する絶縁部を設けたことにより、両面の発光が可能となり、各面の異なる任意の広告を設けることも可能となる。【００１４】本発明の図１は、請求項２に関するものである。図１に示すように、薄い通電両面発光のＥＬ広告媒体を形成するＥＬ発光シートから接続された小銅板と小銅板をそれぞれ絶縁する絶縁部を設け、前記ＥＬ発光シートに外設交差する前記小銅板に電極部を設け、折り曲げ部を設けた状態の、ＥＬシートの両面発光ポップ広告の内部を示す正面図であり、図２は、本発明の内部を示す拡大部分斜視図である。本発明を完成させるために、折り曲げ部を内側に折込み、両面テープ等で接着し図４の状態に形成する。【００１５】本発明の図１は、請求項３に関するものである。本発明は、図１に示すように、薄い通電両面発光のＥＬ広告媒体を形成するＥＬ発光シートから接続された小銅板に電極部を設け、前記ＥＬ発光シートに外設交差する前記小銅板と前記小銅板をそれぞれ絶縁する絶縁部を設け、前記電極部にコンセント挿通部を設けた状態の、ＥＬシートの両面発光ポップ広告の内部を示す正面図であり、図２は、本発明の内部を示す拡大部分斜視図である。本発明は、コンセント挿通部を設けたため、任意のコンセントを製作することにより、本発明のＥＬシートの両面発光ポップ広告を差し込むだけで実施でき、交換も任意のコンセントから引き抜くだけで極めて簡単にできる。さらに、コンセント挿通部を設けたため、スイッチの効果があり、改めてスイッチを設ける必要がない。【００１６】本発明の図２は、図２に示すように図１の本発明の内部を示し、ＥＬ発光シートに外設交差する小銅板と小銅板をそれぞれ絶縁する絶縁部を設け、本発明を完成させるために折り曲げ部を設け、コンセント挿通部を設ける状態を詳細に示す、拡大部分斜視図である。【００１７】本発明の図３は、図３に示すように図１の実施例を示す背面図である。本発明の完成した実施状態では、内部が接合するため広告部の背面があらわれる。本発明のＥＬシートから両面発光する光が、各面の広告部より発せられる。【００１８】本発明の図４は、図４に示すように図３の完成した実施状態を示す斜視図である。図４からでは、片面しか目視できないが、両面発光する光が、各面の広告部より発せられる。【００１９】本実施例から本発明は、薄いＥＬ広告媒体のため、通電両面発光と簡便に着脱可能となり、店舗等の壁や棚に任意のコンセントで設置固着ができ、両方向からの視認により目立ち、さらに、ＥＬシートの両面発光ポップ広告そのものを取替再利用ができるものである。
【産業上の利用可能性】
【００２０】本発明は、製作工程において簡便であること。又、本発明は、従来のＥＬシートの片面発光ポップ広告より視認性が広範囲であり注目度が高い。さらに、一般のＥＬ広告は、専門的な接続設置行為を必要としているのに対し、本発明は、一度設置した後は、コンセント挿通部を設けたことにより、任意のコンセントから引き抜き、差し込みする簡便な方法で着脱ができ、誰もが簡単に実施できるため広く普及していくことが考えられる。
【図面の簡単な説明】
【００２１】
【図１】本発明の内部を示す正面図である。
【図２】本発明の内部を示す拡大部分斜視図である。
【図３】本発明の実施例を示す「図１」の背面図である。
【図４】本発明の「図３」を完成した実施状態を示す斜視図である。
【符号の説明】
【００２２】１Ａ  ＥＬ発光シート
１Ｂ  ＥＬ発光シート
２  広告部
３  透明フイルム
４Ａ  電極部
４Ｂ  電極部
５  絶縁部
６  コンセント挿通部
７Ａ  電極部
７Ｂ  電極部
８  折り曲げ部
【図１】
2005107461.tif 000003
【図２】
2005107461.tif 000004
【図３】
2005107461.tif 000005
【図４】
2005107461.tif 000006